(57)【要約】      （修正有）【課題】貯水タンクの出口や、水道メータの出口等の通水環境中であっても、水、及び溶存酸素を媒介とした異種金属間の電池反応によって水酸化物イオン水を生成する通水型電池作用水生成装置を提供する。【解決手段】内部空間を有するとともに、前記内部空間の上部に外部から給水するための給水口２０、及び外部へ排水するための排水口３０を設けた容器４０と、前記容器４０の内部空間に設置される水環境電池部材５０を備え、前記容器４０内に通水することで、前記水環境電池部材５０を水が通過し、当該水を前記水環境電池部材５０により電池作用水へと変性するとともに、前記電池作用水を前記排水口３０から外部に排水することを特徴とする。【選択図】図１
0003196171.tif 000002
【実用新案登録請求の範囲】
【請求項１】
内部空間を有するとともに、前記内部空間の上部に外部から給水するための給水口、及び外部へ排水するための排水口を設けた容器と、
前記容器の内部空間に設置される水環境電池部材を備え、
前記容器内に通水することで、前記水環境電池部材を水が通過し、当該水を前記水環境電池部材により電池作用水へと変性するとともに、
前記電作用水を前記排水口から外部に排水することを特徴とする通水型電池作用水生成装置。
【請求項２】
前記水環境電池部材は、
マグネシウム体を筒状としてなる外側金属体と、
前記外側金属体の内周面の全面に所定間隔を置いて対向するよう同軸状に配置されたステンレス鋼製の筒状の中間金属体と、
前記中間金属体の内周面の全面に所定間隔を置いて対向するよう同軸状に配置された亜鉛体からなる円柱状の内側金属体を備えることを特徴とする請求項１に記載の通水型電池作用水生成装置。
【考案の詳細な説明】
【技術分野】
【０００１】  本考案は、貯水タンクの出口や、水道メータの出口等の通水環境中において水酸化物イオン水を生成する通水型電池作用水生成装置に関し、特に、電源を必要とすることなく、水、及び溶存酸素を媒介とした異種金属間の電池反応によって水酸化物イオン水を生成する通水型電池作用水生成装置に関する。
【背景技術】
【０００２】  出願人らは、水回り製品開発技術と表面処理技術の知見から、水中ではイオン化傾向の近接している金属を合金化した場合、金属表面の電子配列が乱れる事により、ミクロ腐食電池が均一に起こり、粒状に溶出せずイオンとなって溶出する現象を見つけ、これを水環境電池に応用できると考えた。【０００３】  具体的には、イオン化傾向を利用した水環境電池により金属イオン、及び活性酸素を水中に溶出した電池作用水を生成して、貯水容器内において、殺菌効果、除菌効果、防虫・害虫忌避効果等の各種有用な機能を付与する貯水型電池作用水生成装置（特許文献１）が開示されている。
【先行技術文献】
【特許文献】
【０００４】
【特許文献１】  実用新案登録第３１７０７５３号
【考案の概要】
【考案が解決しようとする課題】
【０００５】  特許文献１に係る貯水型電池作用水生成装置は、飽くまでも貯水環境中において、異種金属を浸漬配置することで、長期にわたって安定して水酸化物イオン水等の電池作用水を生成することができる貯水型電池作用水生成装置であって、貯水環境では無い場所、例えば、貯水タンクの出口や、水道メータの出口等の通水環境中では使用することができなかった。【０００６】  本考案の目的は、貯水タンクの出口や、水道メータの出口等の通水環境中であっても、水、及び溶存酸素を媒介とした異種金属間の電池反応によって水酸化物イオン水を生成する通水型電池作用水生成装置を提供することにある。
【課題を解決するための手段】
【０００７】  上記課題を解決するために、請求項１に記載した考案は、内部空間を有するとともに、前記内部空間の上部に外部から給水するための給水口、及び外部へ排水するための排水口を設けた容器と、前記容器の内部空間に設置される水環境電池部材を備え、前記容器内に通水することで、前記水環境電池部材を水が通過し、当該水を前記水環境電池部材により電池作用水へと変性するとともに、前記電作用水を前記排水口から外部に排水することを特徴とする通水型電池作用水生成装置であることを特徴とするものである。【０００８】  請求項２に記載した考案は、請求項１に記載した考案において、前記水環境電池部材は、
マグネシウム体を筒状としてなる外側金属体と、前記外側金属体の内周面の全面に所定間隔を置いて対向するよう同軸状に配置されたステンレス鋼製の筒状の中間金属体と、前記中間金属体の内周面の全面に所定間隔を置いて対向するよう同軸状に配置された亜鉛体からなる円柱状の内側金属体を備える通水型電池作用水生成装置であることを特徴とするものである。
【考案の効果】
【０００９】  本願に係る考案によれば、電源を全く使用することなく、水環境電池を設置した容器を配置するだけで、貯水タンクの出口や、水道メータの出口等の通水環境中であっても、水、及び溶存酸素を媒介とした異種金属間の電池反応によって水酸化物イオン水を生成することで、殺菌効果、除菌効果、防虫・害虫忌避効果等の各種有用な機能を付与する通水型電池作用水生成装置を提供することができるようになった。しかも、長期にわたって安定して水酸化物イオン水等の電池作用水を生成することができ、装置の構成を非常にシンプルなものとして、安定した品質の確保や使用に伴う保守等を容易に行うことができ、そのための労力や手間やコストを必要とせず、かつ、電力使用によるコストも完全に削減することができるようになった。
【図面の簡単な説明】
【００１０】
【図１】通水型電池作用水生成装置の全体図である。
【図２】水環境電池部材を示す分解斜視図である。
【考案を実施するための形態】
【００１１】＜通水型電池作用水生成装置の構造＞
以下、本考案に係る通水型電池作用水生成装置１０について、図１〜図２を参照しつつ詳細に説明する。図１は、本考案に係る通水型電池作用水生成装置１０の全体図である。本考案に係る通水型電池作用水生成装置１０は、水環境電池部材５０を収納するための内部空間を有するとともに、前記内部空間の上部に外部から給水するための給水口２０、及び外部へ排水するための排水口３０（給水口２０の対面に設置）を設けた容器４０と、水環境電池部材５０からなっている。
【００１２】  図２は、本考案に係る通水型電池作用水生成装置１０の重要部である水環境電池部材５０を示す分解斜視図である。容器４０の内部空間に、外側金属体６０を挿入し、外側金属体６０の内部に中間金属体７０を挿入し、さらに、中間金属体７０の内部に内側金属体８０を挿入することで、容器４０内に３種類の金属体（外側金属体６０、中間金属体７０、内側金属体８０）が順に収納された水環境電池部材５０を形成する。即ち、本考案に係る通水型電池作用水生成装置１０の水環境電池部材５０は、外側金属体６０、中間金属体７０、内側金属体８０による三層構造になっている。
【００１３】  外側金属体６０は、マグネシウム体と、外周側間隔保持突部（図示しない）と、底面側間隔保持突部（図示しない）と、内周側間隔保持突部（図示しない）とを備えている。マグネシウム体は、容器４０の内径と略同一の所定の外径と所定の内径とを有する所定厚み（１０ｍｍ程度）の厚肉状の単純円筒状をなす。また、本明細書において、マグネシウム体とは、（ステンレス鋼からなる）容器４０、及び中間金属体６０に対して卑な金属となるマグネシウム（Ｍｇ）１００％のマグネシウム単体、または、マグネシウムに所定の金属を添加したマグネシウム合金のことを言う。
【００１４】  中間金属体７０は、マグネシウム体の内径と略同一の所定の外径と所定の内径とを有する所定厚み（１ｍｍ程度の厚み）の薄肉状の単純円筒状をなす。中間金属体７０は、外側金属体６０のマグネシウム体に対して貴な金属となるステンレス鋼（ＳＵＳ３０４等）からなる。
【００１５】  内側金属体８０は、亜鉛体と、外周側間隔保持突部（図示しない）と、底面側間隔保持突部（図示しない）とを備えている。亜鉛体は、中間金属体７０の内径と略同一の所定の外径を有する所定直径（２３〜２５ｍｍ程度）の単純円柱状をなす。また、本明細書において、亜鉛体とは、容器４０、及び中間金属体７０に対して卑な金属となる亜鉛（Ｚｎ）１００％の亜鉛単体、または、亜鉛に所定の金属を添加した亜鉛合金のことを言う。
【００１６】＜通水型電池作用水生成装置の動作原理＞
通水型電池作用水生成装置１０の重要部である水環境電池部材５０の基本構造は、外側金属体６０、中間金属体７０、内側金属体８０からなる三層構造になっている。即ち、外側金属体６０、中間金属体７０、内側金属体８０は、それぞれ均一な隙間空間を介して同軸上に重ね合わせることにより水環境電池部材５０を形成している。
【００１７】  外側金属体６０と中間金属体７０の間の外側隙間空間では、それぞれ、マグネシウム体のＭｇ表面、又はＭｇ合金表面とＳＵＳ３０４ステンレス鋼材表面との間で、通水中の水分子（Ｈ２Ｏ）及び溶存酸素（Ｏ２）を利用した電池反応が生起する。この電池反応は、水、及び溶存酸素のみを媒介とした（イオン化傾向の異なる）異種金属体間での電池反応であり、流電陽極法のように、異種金属間の直接接触（電気的接触）や、導電線等の導電体を介した異種金属間の電気的接続を全く設けることなく、異種金属間の隙間空間において所定電圧（イオン化傾向の差に応じた電圧であって、マグネシウム体とＳＵＳ製の中間金属体７０の標準電極電位差に応じた電圧）の直流電流を水中に発生するものである。
【００１８】  この際、プラス電極としての中間金属体７０（ＳＵＳ３０４ステンレス鋼材）に対するマイナス電極としてのマグネシウム体が、Ｍｇ合金により形成されている場合、例えば、ＭｇＺｎ合金より形成されている場合は、ＳＵＳ表面との間での上記電池作用に加えて、マグネシウム体の表面自体においても、Ｍｇ原子及びＺｎ原子の原子配列が乱れることにより、無数のプラス極とマイナス極とがランダムに形成され、マグネシウム体の周囲の水と当該水中の溶存酸素とによって、ミクロ電池が時間と共に消滅と形成とを位置を替えて繰り返すことで、次々とミクロ電池による電池作用を生起する。
【００１９】  マグネシウム体の表面から電流がより均一に流れ出し、電池反応もより均一に形成されることで、完全イオン化状態となったＭｇイオン、Ｚｎイオンが水中に流出すると共に、下記の亜鉛体について説明するように、活性酸素種が生成された後、最終的には、電池作用水の一種としとしての所定の機能水（水酸化物イオン水生成を主要効能とする第１の種類の機能水）が生成される。
【００２０】  一方、中間金属体６０と内側金属体７０との間の内側隙間空間では、亜鉛体のＺｎ表面またはＺｎ合金表面とＳＵＳ３０４ステンレス鋼材表面との間で、通水中の水分子（Ｈ２Ｏ）及び溶存酸素（Ｏ２）を利用した電池反応が生起する。この電池反応は、マグネシウム体の場合と同様の反応による電池反応であって、亜鉛体と中間金属体７０（ＳＵＳ３０４ステンレス鋼材）の標準電極電位差に応じた電圧の直流電流を水中に発生するものである。
【００２１】  この際、上記マグネシウム体をＭｇ合金により形成した場合と同様、亜鉛体が亜鉛合金、例えば、ＺｎＭｇ合金により形成されている場合は、亜鉛体の表面から電流がより均一に流れ出す。そして、完全イオン化状態となったＺｎイオン、Ｍｇイオンが水中に流出すると共に、活性酸素種が生成され、これにより、電池作用水の他の一種としての所定の機能水（殺菌を主要効能とする第２の種類の機能水）が生成される。
【００２２】＜通水型電池作用水生成装置の効果、及び適用例＞
本実施例によれば、電源を全く使用することなく、容器４０内に水環境電池部材５０を配置するだけで、貯水タンクの出口や、水道メータの出口等の通水環境中であっても、水、及び溶存酸素を媒介とした異種金属間の電池反応によって水酸化物イオン水（水酸化物イオン水生成を主要効能とする第１の種類の機能水、及び殺菌を主要効能とする第２の種類の機能水）を生成することができるようになった。
【００２３】  即ち、これまでに見られなかった殺菌効果、除菌効果、防虫・害虫忌避効果等の各種有用な機能を付与する通水型電池作用水生成装置１０を提供することができるようになった。しかも、貯水型電池作用水生成装置と同様に、長期にわたって安定して水酸化物イオン水等の電池作用水を生成することができ、装置の構成を非常にシンプルなものとして、安定した品質の確保や使用に伴う保守等を容易に行うことができ、そのための労力や手間やコストを必要とせず、かつ、電力使用によるコストも完全に削減することができるようになった。
【００２４】  本考案に係る通水型電池作用水生成装置１０の適用例として、家屋に入る前に設置されている水道メータの先に取り付ければ、家屋全体で使用する水を全て浄水することができるし、台所のアンダーシンクや、洗濯機に取り付けることで、個別に浄化効果が期待できる。さらに、循環水を使う箇所への取り付けによる効果として、例えば、農業用としての野菜工場等に取り付ければ、野菜に虫がつかないという効果もあるし、工業用として、プラスチック工場や鋳造工場等に取り付ければ、冷却用循環水中のバイオフィルムを取り除くという効果が期待できる。
【００２５】＜通水型電池作用水生成装置の変更例＞
本考案に係る通水型電池作用水生成装置１０の構成は、上記実施形態の態様に何ら限定されるものではなく、給水口２０、排水口３０、容器４０、水環境電池５０、外側金属体６０、中間金属体７０、内側金属体８０等の構成を、本発明の趣旨を逸脱しない範囲で、必要に応じて適宜変更することができる。
【００２６】  例えば、容器４０を減圧することができるような仕組みにして、負圧により、給水口２０から取り入れた水が、容器４０内を循環し易くして（必ず、水環境電池部材５０内を貫通するようにして）、排水口３０から排水されるようにしても良い。さらに、通水型電池作用水生成装置１０の給水口３０を容器４０の下部に設置し、排水口３０を容器４０の上部に設置することで、通水が水環境電池部材５０内を貫通するようにしても良い。
【産業上の利用可能性】
【００２７】  本考案に係る通水型電池作用水生成装置は、上記の如く優れた効果を奏するものであるので、貯水タンクの出口や、水道メータの出口等の通水環境中で使用する通水型の電池作用水生成装置として好適に用いることができる。
【符号の説明】
【００２８】１０・・通水型電池作用水生成装置
２０・・給水口
３０・・排水口
４０・・容器
５０・・水環境電池部材
６０・・外側金属体
７０・・中間金属体
８０・・内側金属体
【図１】
0003196171.tif 000003
【図２】
0003196171.tif 000004